(57)【特許請求の範囲】
【請求項１】
頂部に上部開口が開設されており、底部に下部開口が開設されており、前記上部開口と前記下部開口が互いに連通することで内部に浸出空間が形成されている容器本体と、
上に連通孔が貫設されており、前記連通孔に対応する頂部の部位に上方に向かって環状の環状壁が凸設されており、前記環状壁の内壁面の間に水流通路が形成されており、前記水流通路が前記連通孔に対応している台座と、
内径が前記環状壁の外径とマッチングすることで、変形により、前記環状壁上に嵌設されており、水密になるよう内壁面を前記環状壁の外壁面に付勢させ、外径が前記下部開口とマッチングし、円周方向に沿って複数個の当接部が外壁面に設けられていることで、前記容器本体の底部を前記台座の頂部に取り付けた状態において、前記当接部が水密になるよう前記容器本体の底部に近接する内壁面まで付勢可能な弾性組立リングと、
移動可能に前記台座の底部に取り付けられており、前記連通孔に対応する部位に遮水柱及び開口部が設けられており、前記遮水柱の直径が前記連通孔の孔径より小さい直径であり、前記遮水柱の頂端が前記連通孔を貫通するよう前記水流通路内に挿入可能な水止座と、
前記遮水柱の頂端に定位可能であり、且つ前記連通孔の孔径より大きい直径を有する遮水栓と、を備えることを特徴とする飲料抽出装置。
【請求項２】
前記台座は、頂部に第１の組立溝が設けられており、底部に第２の組立溝が設けられており、前記第１の組立溝が前記連通孔を通じて前記第２の組立溝と連通し、前記第１の組立溝の構造が前記容器本体の底部構造とマッチングすることで、前記容器本体の底部と互いに嵌合可能であり、前記容器本体の底部に近接する外壁面が前記第１の組立溝の内壁面に貼り付け可能であることを特徴とする請求項１に記載の飲料抽出装置。
【請求項３】
前記台座の第１の組立溝に位置する内壁面と前記環状壁の外壁面と間の部位に第１の嵌合部が設けられており、前記弾性組立リングの底部に第２の嵌合部が設けられており、前記第２の嵌合部の構造が前記第１の嵌合部の構造とマッチングすることで、前記弾性組立リングが前記環状壁に嵌め込まれている状態において、前記第１の嵌合部と前記第２の嵌合部とが互いに嵌合可能であることを特徴とする請求項２に記載の飲料抽出装置。
【請求項４】
前記第２の組立溝は環状の第１の案内壁が設けられており、
前記水止座の頂部には環状の第２の案内壁が上方に向かって凸設されており、
前記水止座が前記第２の組立溝内に取り付けられている状態において、前記第２の案内壁は、前記第１の案内壁に案内され、前記第１の案内壁および前記第２の案内壁の方向に沿って前記台座の底部で前記水止座を上下方向に移動させることが可能であることを特徴とする請求項３に記載の飲料抽出装置。
【請求項５】
前記容器本体の材質は、ガラス或いはセラミックであることを特徴とする請求項１、２、３又は４のいずれか一項に記載の飲料抽出装置。
【請求項６】
前記弾性組立リングは頂部に複数の導流溝が径方向に沿って凹設されており、
前記導流溝は前記水流通路に向かって水平方向に対して傾斜していることを特徴とする請求項５に記載の飲料抽出装置。
【請求項７】
前記遮水栓は、嵌合方式により、前記遮水柱の頂端に組み込まれていることを特徴とする請求項６に記載の飲料抽出装置。
【請求項８】
前記弾性組立リングは頂部に突出片が設けられていることを特徴とする請求項７に記載の飲料抽出装置。
【発明の詳細な説明】
【技術分野】
【０００１】
本発明は、飲料抽出装置に関し、特に、弾性組立リングを備える飲料抽出装置に関する。
【背景技術】
【０００２】
近年、工芸技術の進歩と生活の質の向上により、人々が新しい製品を購入する時、製品がお徳なのかということに注意する以外に、更にその利便性、使いやすさ、なお一層安全性等の面から考慮している。このような市場トレンドの変化により、各業種の業者は絶え間なく研究発展や更新、更に進歩した製品に力を注ぐことで、大多数の顧客のニーズに応えることができる。日常生活においてどこにでも見られる飲料容器を例にすると、お茶、コーヒーを飲もうとした時、利用者は、ティーバッグ或いはフィルタ等の浸出方式で、茶葉又はコーヒー粉末を浸出液内からろ過して飲用している。しかしながら、この種の方式で飲料を浸出した後、利用者はやはりすぐティーバッグを捨てるか、又はまずティーバッグ、フィルタ等を別の容器に移さなければならない。さもなければ、ティーバッグ、フィルタ内に残留している水分で周囲環境を濡らし、利用者の不便さを招く。
【０００３】
これに鑑み、発明者は、かつて利用者が持ち運びに便利であると共に迅速にお茶或いはコーヒーを浸出できる飲料抽出装置を研究開発した。図１及び図２を参照すると、飲料抽出装置１の頂側に内方へ収容空間１０が凹設されており、その底部に貫通孔１３及び複数個の組立孔１８を開設する。水止皿２が飲料抽出装置１の底部に組み立てられ、その周縁に複数個の突出棒２１を設け、各突出棒２１が各組立孔１８内に各々挿入することができ、且つ組立孔１８内において上下往復移動でき、水止皿２の中央部にも柱体２３を設け、柱体２３が貫通孔１３内まで挿入でき、その頂端に水止用ブロック体２５が組み込まれている。
【０００４】
飲料抽出装置１がテーブル上に置かれ、且つ水止皿２が自然に落下した時、各突出棒２１が各組立孔１８内の下縁部に当接でき、同時に、水止用ブロック体２５が貫通孔１３（図１のような状態）を完全に遮蔽でき、収容空間１０内の液体を貫通孔１３から流出させることができない。飲料抽出装置１がコップの上に置かれた時、水止皿２がコップによって突張られるため、各突出棒２１が各組立孔１８内の上縁部に当接し、この時、水止用ブロック体２５が貫通孔１３を遮蔽する位置から離れ、収容空間１０内の液体を貫通孔１３内から流出させることができる。このように、利用者は飲料抽出装置１により、ティーバッグ或いはコーヒー粉から簡単に入れることができ、飲料抽出装置１内に残留している液体の流出に心配する必要がない。
【０００５】
前記飲料抽出装置１は、効果的に利用者がティーバッグ或いはコーヒー粉末を入れることができるが、近年、可塑剤事件と各種食品の安全性に危機が及ぶニュースが多くのメディア版面をにぎわせ、消費者が食の安全性の確保に対し益々重視するようになり、且つプラスチック又はアクリル（ａｃｒｙｌｉｃ）材質で製造された飲料抽出装置について、消費者の多くは耐熱性が高くないという懸念を持っている。飲料抽出装置１は、ガラスでも製造できるが、飲料抽出装置１を各種異なるスタイルとして設計しようとすると、ガラス加工プロセスのコストが高くなるだけでなく、且つ歩留まりも影響を受ける。よって、発明者は飲料抽出装置１を「セパレート式」構造として設計できるかどうかを考え、つまりスタイル設計のため、飲料抽出装置１内の浸出液を載置する主体部位をガラスで製造し、取っ手、台座の部位をやはりプラスチック材質で製造する。このようにすることで、消費者の懸念を効果的に解決できるだけでなく、製造コストにも配慮できる。このほかに、業者は同一スタイルの容器本体（材質はガラスの有無を問わない）をスタイルの異なる台座とセットにして、各種様相と質感が異なる飲料抽出装置として組み合わせることができる。
【０００６】
ただし、発明者が実際にテストした後、ガラス製容器はその公差をコントロールしにくいため、飲料抽出装置をセパレート式として設計した場合、飲料抽出装置は組立上の継目により、浸出液の漏れが起きしやすく、完全に飲料抽出装置の基本的な効果の要求を損なってしまう。組立精度を高めて「セパレート式」の飲料抽出装置を密着に結合したとしても、ガラスの熱膨張と冷収縮の特性が顕著であるため、熱いものを迅速に注いだ時、飲料抽出装置の接合部が熱膨張の特性により破損が起きてしまう。よって、「セパレート式」構造で飲料抽出装置として組み立てられることができ、且つ更に組立上の安定及び使いやすさを確保でき、浸出液が組み立てたものの隙間から漏れない新規飲料抽出装置構造を如何にして設計するかが、本発明の解決しようとする極めて重要かつ急務の課題となっていた。
【先行技術文献】
【特許文献】
【０００７】
【特許文献１】特開２００１−１１２６２９号公報
【発明の概要】
【発明が解決しようとする課題】
【０００８】
飲料抽出装置を「セパレート式」の組立方式で設計した時、正確に組立できなかった場合、浸出液が隙間から漏れやすい問題が起きるおそれがあり、発明者は長年に渡り研究開発の経験によって鋭意研究、テストと改良を重ねた結果、ようやく本発明の弾性組立リングを備える飲料抽出装置を設計し、更に容易に製造、組立でき且つ効果がより一層優れた製品構造を提供することで利用者に更に安心して各種飲料を浸出してもらいたいと願っている。
本発明は、上述の問題に鑑みてなされたものであり、その目的は、弾性組立リングを利用し、水密になるよう容器本体及び台座間の隙間を密封することで、設計の柔軟性、倉庫の管理を改善すると共に水密性を確保可能な飲料抽出装置を提供することにある。
【課題を解決するための手段】
【０００９】
本発明による飲料抽出装置は、容器本体と台座と弾性組立リングと水止座と遮水栓とを備える。容器本体は、頂部に上部開口が開設されており、底部に下部開口が開設されており、上部開口と下部開口が互いに連通することで容器本体内に浸出空間が形成されている。台座は、上に連通孔が貫設されており、頂部の連通孔に対応する部位に上方に向かって環状の環状壁が凸設されており、環状壁の内壁面間に水流通路が形成されており、水流通路が連通孔に対応する。弾性組立リングは、内径が環状壁の外径とマッチングすることで、変形により、環状壁に嵌設されており、その内壁面が水密になるよう環状壁の外壁面に付勢可能であり、その外径が下部開口とマッチングし、且つその外壁面に円周方向に沿って複数個の当接部が設けられていることで、容器本体の底部を台座の頂部に取り付けた状態において、それら当接部が水密になるよう容器本体の底部に近接する内壁面に付勢可能である。水止座は、可動的に台座の底部に取り付けられており、その上の連通孔に対応する部位に遮水柱及び開口部が設けられており、遮水柱の直径が連通孔の孔径より小さい直径であり、遮水柱の頂端が連通孔を貫通するよう水流通路内に挿入可能である。遮水栓は、遮水柱の頂端に定位可能であり、且つ連通孔の孔径より大きい直径を有する。このように、飲料抽出装置が弾性組立リングにより、水密になるよう容器本体と台座を一体に結合することで、確実に容器本体及び台座間の隙間を充填可能である。
【００１０】
また、台座は、頂部に第１の組立溝が設けられており、底部に第２の組立溝が設けられており、且つ第１の組立溝が連通孔を通じて第２の組立溝と連通しており、第１の組立溝の構造が容器本体の底部構造とマッチングすることで、容器本体の底部と互いに嵌合可能である。また容器本体の底部に近接する外壁面が第１の組立溝の内壁面に貼り付け可能である。これにより、容器本体が更に安定的に台座と結合することができる。
【図面の簡単な説明】
【００１１】
【図１】従来の飲料抽出装置を示す模式図である。
【図２】従来の飲料抽出装置及び水止皿を示す模式図である。
【図３】本発明の第一実施形態による飲料抽出装置を示す模式図である。
【図４】本発明の第一実施形態による飲料抽出装置の構造を示す模式図である。
【図５】本発明の第一実施形態による飲料抽出装置の容器本体及び台座の構造を示す模式図である。
【図６】本発明の第一実施形態による飲料抽出装置を示す断面図である。
【図７】本発明の第二実施形態による飲料抽出装置を示す模式図である。
【発明を実施するための形態】
【００１２】
以下に、本発明の技術、構造特徴及びその目的を審査官に更に理解してもらうために、本発明の実施形態を添付図面に基づいて詳細に説明する。
【００１３】
（第一実施形態）
本発明は、弾性組立リングを備える飲料抽出装置であり、図３に示すように、本発明の第一実施形態による飲料抽出装置３は容器本体３１と台座３２と弾性組立リング３３と水止座３４と遮水栓３４３とを含み、前記容器本体３１の頂部に上部開口Ｃ１を開設し、その底部に下部開口Ｃ２を設け、上部開口Ｃ１が下部開口Ｃ２と連通することで、容器本体３１内に浸出空間３１０を形成する。本実施形態において、容器本体３１の構造は、略中空錐体を呈し、且つガラス或いはセラミックで製造されているが、本発明の他の実施形態において、容器本体３１の構造と材質は、業者が自由に調整できる。この点につき、予め説明しておく。
【００１４】
図３乃至図５を参照すると、図４は飲料抽出装置３の断面図で、図５が飲料抽出装置３の弾性組立リング３３及び水止座３４を隠した後の断面図である。台座３２の頂部に第１の組立溝３２１を設け、その底部に第２の組立溝３２２を設け、第１の組立溝３２１と第２の組立溝３２２の間が連通孔を通じて連通孔Ｈ１し、第１の組立溝３２１の構造は容器本体３１の底部構造とマッチングすることで、容器本体３１の底部と互いに嵌合でき、また容器本体３１の底部に近に外壁面を第１の組立溝３２１の内壁面に貼り付けさせる。第１の組立溝３２１内の連通孔Ｈ１に対応する部位に上方に向かって環状の環状壁３２３を凸設し、環状壁３２３の内壁面間に水流通路３２３ａを形成し、水流通路３２３ａが連通孔Ｈ１に対応する。環状壁３２３の外壁面が容器本体３１の底部に近い内壁面（或いは第１の組立溝３２１の内壁面）と所定の間隔を保持することで、組立空間３２０を形成する。
【００１５】
弾性組立リング３３は弾性材質（例えばシリコン）で構成され、その構造が組立空間３２０とマッチング（例えば弾性組立リング３３の内壁面の口径が環状壁３２３の外壁面の口径より略小さく、弾性組立リング３３の外壁面の口径が下部開口Ｃ２の口径より略大きい）することで、容器本体３１の底部を第１の組立溝３２１内に定位した状態において、弾性組立リング３３が変形により、組立空間３２０内に嵌め込むことができ、その外壁面を水密になるよう容器本体３１の底部に近い内壁面に付勢し、且つその内壁面を水密になるよう環状壁３２３の外壁面に付勢する。
【００１６】
水止座３４は、可動的に第２の組立溝３２２内に取り付けられ、その上の連通孔Ｈ１に対応する部位に遮水柱３４１と開口部３４２を各々設け、遮水柱３４１の直径が連通孔Ｈ１の孔径より小さく、遮水柱２４１の頂端が連通孔Ｈ１を貫通させて水流通路３２３ａ内に挿入できる。遮水栓３４３は、遮水柱３４１の頂端（遮水栓３４３は遮水柱３４１と一体成形でき、嵌合方式で組立することも可能）に設けられ、弾性材質で製造されることもでき、且つ遮水栓３４３の直径が連通孔Ｈ１の孔径より大きい。
【００１７】
これにより、水止座３４の底部がコップ体（図示略）の頂縁部の上に置かれていない場合、遮水栓３４３が水止座３４の重力及び遮水柱３４１の連動により、下方に向かって移動すると共に連通孔Ｈ１に付勢並びに密封し、浸出空間３１０が浸出液（例えば、コーヒー、お茶）を収容させることができる。逆に、水止座３４の底部がコップ体の頂縁部の上に置かれた場合、水止座３４はコップ体の頂縁部に当接され、遮水柱３４１を上方に向かって移動させることで、遮水栓３４３を上方に向かって移動させて連通孔Ｈ１から離れ、浸出空間３１０内の浸出液（例えば、コーヒー、お茶）が水流通路３２３ａ、連通孔Ｈ１及び開口部３４２を通過してコップ体内に流入することができる。
【００１８】
このように、飲料抽出装置３は弾性組立リング３３により、水密になるよう容器本体３１と台座３２を一体に結合するため、容器本体３１がガラスで製造され、構造上精密に台座３２（本実施形態ではアクリル材料で製造）と密着できないとしても、弾性組立リング３３はやはり容器本体３１と台座３２間の隙間を充填できる。これにより、業者はガラス或いはセラミックで高質感の容器本体３１を製造でき、一部消費者のアクリル材料が耐熱できないことに対する懸念を解決でき、同時に、業者も各種構造が異なる容器本体３１（例えば、柄、色つや又は高さ）を製造でき、同一規格の台座３２とセットして、スタイルが異なる飲料抽出装置３として組み合わせて販売できる。
【００１９】
本実施形態において、遮水栓３４３が遮水柱３４１の頂端に設けられ、また遮水柱３４１と一緒に移動するが、実際、業者も遮水栓３４３を遮水柱３４１とは別々独立した部材として設計でき、つまり、遮水栓３４３は連通孔Ｈ１上に独立して定位でき、水止座３４がコップ体の頂縁部の上に置かれていない時、遮水栓３４３と遮水柱３４１の間に間隔を有し、水止座３４がコップ体の頂縁部の上に置かれた後、遮水柱３４１が上方に向かって移動して遮水栓３４３を押動し、連通孔Ｈ１から離れられる。この点についてここで特に説明する。このような設計の下、遮水栓３４３は弾性材料に限られるものではなく、剛性材料で製造することもできる（例えば、鋼球）。
【００２０】
再度図３〜５を参照すると、本実施形態において、弾性組立リング３３の外壁面に円周方向に沿って複数個の当接部３３１を設け、それら当接部３３１の構造が片体で、力を受けた時、湾曲変形でき、弾性組立リング３３が更に簡単で且つ水密になるよう組立空間３２０に嵌め込まれると共に容器本体３１の底部に近い内壁面に付勢でき、容器本体３１と台座３２が安定的に一体に結合させる。これにより、利用者が熱湯を容器本体３１に注ぎ、容器本体３１が熱を受けて膨張したとしても、弾性組立リング３３がそれら当接部３３１により、容器本体３１に膨張又は収縮の緩衝空間を供することで、飲料抽出装置３の耐用性を確保できる。
【００２１】
このほかに、台座３２の第１の組立溝３２１に位置する内壁面と環状壁３２３の外壁面間の部位上に第１の嵌合部３２４を設け、弾性組立リング３３の底部に第２の嵌合部３３２を設け、第２の嵌合部３３２の構造（例：凸部）が第１の嵌合部３２４の構造（例：凹溝）とマッチングすることで、弾性組立リング３３が組立空間２２０内に嵌め込まれている状態において、第１の嵌合部３２４が第２の嵌合部３３２と互いに嵌合でき、こうすると、弾性組立リング３３の水密性を更に高めることができる。
【００２２】
また、図４〜５を参照すると、弾性組立リング３３の頂部上に突出片３３３を設け、弾性組立リング３３が組立空間３２０に嵌め込まれている状態において、突出片３３３は浸出空間３１０から露出でき、利用者が突出片３３３を掴むことにより、力を入れて弾性組立リング３３を組立空間３２０から取り出すことで、容器本体３１と台座３２間の組み立てを分解し、利用者が容器本体３１、弾性組立リング３３及び台座３２を徹底して洗浄できるようにする。
【００２３】
次に、図３〜６を参照すると、第２の組立溝３２２は下方に向かって延伸し環状の第１の案内壁３２５を設け、水止座３４の頂部が上方に向かって環状の第２の案内壁３４４を凸設し、第１の案内壁３２５の構造が第２の案内壁３４４とマッチング（本実施形態において、第１の案内壁３２５の内壁直径が第２の案内壁３４４の外壁直径に等しい）することで、水止座３４が第２の組立溝３２２内に取り付けられている状態の下、第２の案内壁３４４は第１の案内壁３２５の案内を受けて貼り付けることができ、水止座３４がこれら案内壁３２５、３４４の方向に沿って、自由に上下移動させることができる。
【００２４】
弾性組立リング３３の頂部は更に半径方向に沿って複数の導流溝３３４を各々凹設し、各導流溝３３４の間に所定の距離を置くことで、弾性組立リング３３の頂面に均一分布する。これら導流溝３３４は水流通路３２３ａの方向に向かって水平方向に対して傾斜することで、浸出空間３１０内の浸出液が一定の流れ方向に沿って水流通路３２３ａ内に流入させることができる。
【００２５】
このほかに、前記実施形態において、水止座３４は遮水栓３４３と連通孔Ｈ１の付勢により水止座３４が第２の組立溝３２２から離れることを防止するが、実際の実施において、業者もこれら案内壁３２５、３４４上にストッパーを設けることで、水止座３４の組立安定性を高めることができる。この点についてここで特に説明する。
【００２６】
（第二実施形態）
前記第一実施形態において、容器本体３１及び水止座３４は台座３２の第１の組立溝３２１及び第２の組立溝３２２の中に各々定位するが、第１の組立溝３２１及び第２の組立溝３２２は本発明の実施上必要な特徴ではない。図７を参照すると、本発明の他の好ましい実施形態で、飲料抽出装置７の台座７２上に第１の組立溝及び第２の組立溝を設けておらず、頂部に連通孔Ｈ２及び環状壁７２３を設けるだけである。
【００２７】
上記の続き、組立を行う時、利用者はまず弾性組立リング３３を環状壁７２３上に嵌設し、その内壁面が弾性変形によって、水密になるよう環状壁７２３の外壁面に付勢させてから容器本体３１の底部を台座７２の頂部に取り付けることで、弾性組立リング３３外縁部のこれら当接部３３１の弾性変形により、水密になるよう容器本体３１の底部に近い内壁面に付勢し、最後に遮水栓３４３と連通孔Ｈ２の嵌合により、水止座３４を台座７２の底部に定位させる。これにより、第１の組立溝及び第２の組立溝を介すことなくても、容器本体３１と台座７２と弾性組立リング３３を一体に組み立てることができる。
【００２８】
以上に述べたものは、本発明の好ましい実施形態であって、本発明の技術的特徴はこの実施形態のみに限定されるべきものではなく、当業者が本発明を参酌した後、容易に想到できる種々の修正及び変更は、均しく本発明の特許請求の範囲に属する。
【符号の説明】
【００２９】
３、７  飲料抽出装置  
３１  容器本体
３１０  浸出空間
３２、７２  台座
３２１  第１の組立溝
３２２  第２の組立溝
３２３、７２３  環状壁  
３２３ａ  水流通路
３２０  組立空間
３２４  第１の嵌合部
３２５  第１の案内壁
３３  弾性組立リング
３３１  当接部  
３３２  第２の嵌合部
３３３  突出片
３３４  導流溝
３４  水止座  
３４１  遮水柱
３４２  開口部
３４３  遮水栓  
３４４  第２の案内壁
Ｃ１  上部開口
Ｃ２  下部開口
Ｈ１、Ｈ２  連通孔
【要約】
【課題】  弾性組立リングを利用し、水密になるよう容器本体及び台座間の隙間を密封することで、設計の柔軟性、倉庫の管理を改善すると共に水密性を確保可能な弾性組立リングを備える飲料抽出装置を提供することを課題とする。
【解決手段】  容器本体３１は、頂部に上部開口Ｃ１が開設されており、底部に下部開口Ｃ２が開設されており、内部に浸出空間３１０が形成されている。台座３２は、上に連通孔が貫設されており、頂部の連通孔に対応する部位に上方に向かって環状の環状壁３２３が凸設されている。弾性組立リング３３は、内壁面が水密になるよう環状壁の外壁面に付勢可能であり、当接部が水密になるよう容器本体３１の底部に近接する内壁面に付勢可能である。水止座３４は、可動的に台座３２の底部に取り付けられている。遮水栓３４３は、遮水柱３４１の頂端に定位可能である。
【選択図】  図３【図１】
0005940137.tif 000002
【図２】
0005940137.tif 000003
【図３】
0005940137.tif 000004
【図４】
0005940137.tif 000005
【図５】
0005940137.tif 000006
【図６】
0005940137.tif 000007
【図７】
0005940137.tif 000008